(57)【要約】【課題】  複数の給紙口を有するインクジェット記録装置において、使用状況に応じて、給紙口を容易に選択することができ、したがって、使用状況に応じた印刷環境を容易に得ることができるインクジェット記録装置、インクジェット記録装置の制御方法およびプログラムを提供することを目的とするものである。【解決手段】  複数の給紙口と、ホストコンピュータから送信されたコマンドを受信する受信手段と、上記ホストコンピュータから送信されたコマンドに応じて、上記複数の給紙口のそれぞれについて、低騒音設定を有効または無効にする低騒音設定制御手段とを有するインクジェット記録装置である。【選択図】  図１
2007076195.tif 000002
【特許請求の範囲】
【請求項１】
複数の給紙口と；
ホストコンピュータから送信されたコマンドを受信する受信手段と；
上記ホストコンピュータから送信されたコマンドに応じて、上記複数の給紙口のそれぞれについて、低騒音設定を有効または無効にする低騒音設定制御手段と；
を有することを特徴とするインクジェット記録装置。
【請求項２】
請求項１において、
上記低騒音設定制御手段は、サイレント給紙口を設定するダイアログボックスを有する手段であることを特徴とするインクジェット記録装置。
【請求項３】
ホストコンピュータから送信されたコマンドを受信するコマンド受信段階と;
上記ホストコンピュータから送信されたコマンドに応じて、複数の給紙口のそれぞれについて、低騒音設定を有効または無効にする低騒音設定制御段階と；
を有することを特徴とするインクジェット記録装置の制御方法。
【請求項４】
ホストコンピュータから送信されたコマンドを受信するコマンド受信手順と;
上記ホストコンピュータから送信されたコマンドに応じて、複数の給紙口のそれぞれについて、低騒音設定を有効または無効にする低騒音設定制御手順と；
をコンピュータに実行させるプログラム。
【発明の詳細な説明】
【技術分野】
【０００１】
本発明は、ホストコンピュータに接続されるインクジェット記録装置であって、複数の給紙口を有するインクジェット記録装置における低騒音設定に関する。
【背景技術】
【０００２】
従来、ホストコンピュータに接続されるインクジェット記録装置であって、ホストコンピュータから送信されるコマンドに応じて印刷するインクジェット記録装置が知られている。近年、特にホストコンピュータの高速化に伴い、出力装置であるインクジェット記録装置にも、高速印刷が要求されている。高速印刷の一般的な手法としては、給紙と排紙とを同時に行う給排紙同時制御等がある。
【０００３】
この給排紙同時制御は、給紙を司るモータと、排紙を司るモータとを同時に動作させるので、稼動音がかなり大きいという欠点がある。
【０００４】
この高速印刷に伴う騒音は、オフィスなどの雑然とした環境では気にならないが、一般家庭ユーザが深夜に使用する環境には向いていない場合がある。このために、ユーザの使用状況に応じて、速度重視の印刷を行うか、低騒音重視の印刷を行うかを切り替える仕組みが求められている。
【０００５】
これに対しては、ホストコンピュータ上に動作を設定するためのユーザインタフェース（ＵＩ）を有し、ホストコンピュータから送信されたコマンドに応じて、低騒音設定を有効または無効にすることができるインクジェット記録装置が知られている。
【０００６】
つまり、従来インクジェット記録装置であって、複数の給紙口を有する記録装置は、各給紙口について、互いに独立してサイレントモードを設定することはできない。すなわち、記録装置全体で、サイレントモードを設定する（全給紙口共通設定として、サイレントモードを設定する）。具体的には、従来装置のＵＩ画面は、所定のサイレント設定ボタンを押せば、図８に示すサイレント設定のウインドが開き、サイレントの設定を行うものである。
【０００７】
また、周辺装置に計時機能を設けることによって、周辺装置の機能の有効／無効をユーザがその都度設定する必要がなく、また、所望の時間帯に周辺装置の機能を適切に制御できる周辺装置制御方法が知られている（たとえば、特許文献１参照）。
【特許文献１】特開２００３−９１３９１号公報
【発明の開示】
【発明が解決しようとする課題】
【０００８】
一方、大量のデータを扱うことに対応して、複数の給紙口を有するインクジェット記録装置が開発されている。特に、インクジェット記録装置のように、オフィス用途と一般家庭用途との両面性をもたせるために、機械的構成やそれぞれの給紙口に求められるスペックに応じて、それぞれの給紙口に特徴をもたせるのが一般的である。
【０００９】
ここで、２つの給紙口を有するインクジェット記録装置において、２つの給紙口をそれぞれ給紙口Ａ、給紙口Ｂとし、それぞれの給紙口の特徴を例に挙げて説明する。
【００１０】
給紙口Ｂは、たとえば装置後方の給紙トレイに対応する給紙口である。この給紙口Ｂは、オフィス用途における高速印刷性と、一般家庭用途における多種メディア性と、両用途における低騒音性とに優れているが、大容量性は劣っている。上記一般家庭用途における多種メディア性については、特にデジタルカメラ等で撮影した写真画像を多種多様な用途に応じて、つやあり印刷、つや消し印刷、シール紙印刷が求められているので、多種多様なメディアが用意されている。
【００１１】
給紙口Ａは、たとえば装置下方の給紙カセットに対応する給紙口である。この給紙口Ａは、両用途における大容量性に優れているが、高速印刷性については、給紙口Ａとほぼ同等であり、多種メディア性と低騒音性とは劣っている。
【００１２】
さらに、給紙口Ａ、Ｂのそれぞれは、動作音を下げるために動作速度を下げて動作する低騒音設定が可能であり、給紙口Ｂは、低騒音性に優れた給紙口であるが、低騒音設定にすることによって、さらに動作音を下げることができる。
【００１３】
低騒音設定による低騒音性は、高速印刷性と全く逆の効果になる。したがって、たとえば、給紙口Ａで大容量印刷を低騒音で行うために、低騒音設定を有効にする要望と、給紙口Ｂで高速印刷するために、低騒音設定を無効にする要望とがある場合、使用する給紙口を変える都度、低騒音設定の有効、無効を切り換える。
【００１４】
このために、上述の要望に沿うように、低騒音設定を、給紙口の使用状況に応じて変更するためには、ユーザがホストコンピュータ上のユーザインタフェースを使用して、その都度、設定を変更する必要があるので、その変更作業が非常に煩雑である。この煩雑性のために、ユーザがこの設定操作を忘れ、たとえば低騒音設定が無効となっている状態で、深夜に印刷を開始すると、実際にプリンタが印刷を始め、その稼動音の大きさに驚いたり、就寝中の家人の睡眠を妨げる等の不都合が生じるという問題がある。
【００１５】
本発明は、複数の給紙口を有するインクジェット記録装置において、使用状況に応じて給紙口を容易に選択することができ、よって、使用状況に応じた印刷環境を容易に得ることができるインクジェット記録装置を提供することを目的とする。
【課題を解決するための手段】
【００１６】
本発明は、複数の給紙口と、ホストコンピュータから送信されたコマンドを受信する受信手段と、上記ホストコンピュータから送信されたコマンドに応じて上記複数の給紙口のそれぞれについて、低騒音設定を有効または無効にする低騒音設定制御手段とを有する。
【発明の効果】
【００１７】
本発明によれば、複数の給紙口を有するインクジェット記録装置において、給紙口毎に低騒音設定を有効または無効にするので、使用状況に応じてユーザが給紙口を選択することができ、使用状況に応じた印刷環境を得ることができるという効果を奏する。
【発明を実施するための最良の形態】
【００１８】
発明を実施するための最良の形態は、次の実施例である。
【実施例１】
【００１９】
実施例１は、２つの給紙口を有するインクジェット記録装置である。
【００２０】
近年のインクジェット記録装置は、印刷速度の高速化が求められ、これを実現するために、データ処理などの電気的な処理だけでなく、機械的な駆動処理そのものも高速化されている。すなわち、印字メディアの給紙処理や搬送処理、またプリントヘッドの走査処理やプリント処理など、機械的な駆動処理の高速化に伴って、それらの動作音も大きい。したがって、深夜に、家庭でインクジェット記録装置を使用する場合、既に就寝している家人に気を使いつつ印刷する必要が生じる。このために、ユーザの使用状況に応じて高速性と低騒音性とを切り替える機能が求められ、ホストコンピュータ上のユーザインタフェースで低騒音性のモード（サイレント機能）を、有効（オン）または無効（オフ）にする機能を備えている。
【００２１】
また、ユーザの多種多様な用途に応じるために、大量のデータを扱うための大容量化した給紙装置と、高速印刷するための給紙装置との２つの給紙装置を備えている。しかし、高速性と低騒音性とは相反することが一般的であり、実施例１のインクジェット記録装置においても例外ではない。
【００２２】
実施例１は、上記サイレント機能のオンまたはオフを、２つの給紙口のそれぞれについて、別々に設定できる実施例である。
【００２３】
図１は、本発明の実施例１であるホストコンピュータ１０とインクジェット記録装置２０とを示すブロック図である。
【００２４】
実施例１は、ホストコンピュータ１０とインクジェット記録装置２０とを有する。ホストコンピュータ１０は、印刷データ（制御コマンドを含む、以下同様）の生成や、印刷データ生成のためのＵＩ（ユーザインタフェース）設定等を行う。
【００２５】
ホストコンピュータ１０は、ＣＰＵ１０１と、ＲＯＭ１０２と、ＲＡＭ１０３と、システムバス１０４と、Ｉ／Ｏコントローラ１０５とを有する。また、ホストコンピュータ１０は、外部インタフェース（Ｉ／Ｆ）１０６と、外部記憶装置１０７と、ＲＴＣ１０８と、ＣＲＴ１０９と、入力装置１１０とを有する。なお、上記「ＲＴＣ」は、リアルタイムクロックであり、時計用ＩＣである。
【００２６】
ＣＰＵ１０１は、外部記憶装置１０７等からＲＡＭ１０３に読み込んだアプリケーションプログラムや、通信プログラム、プリンタドライバ、オペレーションシステム（ＯＳ）等に基づいて、動作する。また、ＣＰＵ１０は、電源投入時は、ＲＯＭ１０２からブートし、外部記憶装置１０７等からＲＡＭ１０３にＯＳをロードした後に、アプリケーションプログラムやドライバソフトウェア等も同様に、ロードすることによって、システムとして機能する。
【００２７】
外部インタフェース１０６は、ＲＡＭ１０３や外部記憶装置１０７内にスプールした印刷データを、順次、インクジェット記録装置２０に送信する。
【００２８】
ＣＲＴ１０９は、表示装置の一例であり、Ｉ／Ｏコントローラ１０５によって制御される。
【００２９】
入力装置１１０は、Ｉ／Ｏコントローラ１０５を介して、ユーザからの指示データをホストコンピュータ１０内に取り込む。
【００３０】
なお、ユーザインタフェースは、ＣＲＴ１０９と入力装置１１０とによって構成されている。
【００３１】
インクジェット記録装置２０は、ホストコンピュータ１０が生成した印刷データに基づいて、画像を印字メディアに形成し、外部Ｉ／Ｆ部２０１と、制御部２０２と、印刷部Ｉ／Ｆ部２０３と、印刷部２０４と、バス２０５とを有する。また、インクジェット記録装置２０は、ＣＰＵ２０６と、ＲＯＭ２０７と、ＲＡＭ２０８と、ＥＥＰＲＯＭ２０９と、図示しない各種センサと、キャリッジ（ＣＲ）モータと、ラインフィード（ＬＦ）モータとを有する。さらに、インクジェット記録装置２０は、オートシートフィード（ＡＳＦ）モータと、カセットモータと、パージ（ＰＧ）モータと、モータドライバとを有する。
【００３２】
外部Ｉ／Ｆ部２０１は、ホストコンピュータ１０から制御コマンドを受信し、ＩＥＥＥ１２８４、ＩＥＥＥ１３９４、ＵＳＢ、無線等のホストコンピュータ１０との双方向通信が可能である。
【００３３】
ＣＰＵ２０６は、インクジェット記録装置２０の印字データの作成、印字制御のためのモータ駆動、印字ヘッド吐出制御、上位装置から転送されたコマンドの解析、パネルからの入力による各種制御等を行う、主制御装置である。
【００３４】
ＲＯＭ２０７は、プリンタの制御プログラム、プリンタの設定状態、印刷枚数、インク残量等も格納している。また、ＲＯＭ２０７に格納されている制御ソフトは、ＣＰＵ２０６によって読み出されたプログラムとして実行される。各種データは、そのまま初期値として使用されるものと、ＲＡＭ２０８に展開され、ＣＰＵ２０６によって加工されるものとがある。
【００３５】
ＲＡＭ２０８は、制御プログラムが使用するメモリである。
【００３６】
ＥＥＰＲＯＭ２０９は、自動電源ＯＮ／ＯＦＦ、乾燥モード等の機能項目を、プリンタの設定状態情報として格納している。
【００３７】
各種センサは、環境温度、ヘッド温度、紙有り無し等を検知する。
【００３８】
キャリッジ（ＣＲ）モータは、主走査方向に印字ヘッドを走査させて印字を行うために使用する。
【００３９】
ラインフィード（ＬＦ）モータは、紙を副走査方向へ走査させて、印字メディアを移動させるために使用する。
【００４０】
オートシートフィード（ＡＳＦ）モータは、印字用紙を１枚ずつ給紙させ、印字可能位置まで印字用紙を移動させるモータである。
【００４１】
カセットモータは、印字ヘッドの回復動作を行うために使用するモータである。
【００４２】
パージ（ＰＧ）モータは、印字ヘッドの吐出制御を行うモータである。
【００４３】
モータドライバは、キャリッジ（ＣＲ）モータ、ラインフィード（ＬＦ）モータ、オートシートフィード（ＡＳＦ）モータ、カセットモータ、パージ（ＰＧ）モータを独立で動作可能に駆動する。
【００４４】
受信された印字データは、ＣＰＵ２０６によって読み込まれ、ＲＡＭ２０８上に、イメージデータとして展開される。
【００４５】
ここで、インクジェット記録装置２０として、レーザプリンタ、熱転写または感熱式プリンタ、ドットインパクトプリンタ等の形態で用いることができる。実施例１では、インクジェット形態のもの、すなわち印字ヘッド制御部２１２にインクジェットヘッドを用いる形態のものとする。
【００４６】
また、インクジェットヘッドにおいて、インクを吐出するために利用されるエネルギとして、熱エネルギを用いるものや、機械的エネルギを用いるものがある。実施例１では、通電に応じてインクに膜沸騰を生じさせる熱エネルギを発生する電気熱変換体を有するものを用いる。
【００４７】
図２は、インクジェット記録装置２０を示す簡易模式図である。
【００４８】
インクジェット記録装置２０は、その本体に、２つの給紙口Ａ、Ｂと、排紙口Ｃとが装備されている。
【００４９】
搬送方向ａ、ｂ、ｃは、印字メディアの搬送方向であり、矢印で表示されている。
【００５０】
給紙口Ａに積載される印字メディアは、搬送方向ａに向かって給紙され、印刷処理後に、排紙口Ｃから搬送方向ｃに向かって排出される。給紙口Ｂに積載される印字メディアは、搬送方向ｂに向かって給紙され、印刷終了後に、排紙口Ｃから搬送方向ｃに向かって排出される。
【００５１】
このように、給紙口Ａから給紙される印字メディアと、給紙口Ｂから給紙される印字メディアとは、ともに排紙口Ｃに排出されるので、給紙口Ａと給紙口Ｂとは、排他的に使用される。具体的には、ホストコンピュータ１０から、外部インタフェース１０６を介して、インクジェット記録装置２０に送信される制御コマンド内に、給紙口選択の制御コマンドが含まれ、この制御コマンドによって指定された給紙口から給紙する。
【００５２】
図３は、インクジェット記録装置２０の機械的構成の一例を示す図であり、シリアルスキャン方式のインクジェット記録装置を示す図である。
【００５３】
キャリッジ４００は、ガイド軸４０２によって、矢印ｄの主走査方向に、移動自在にガイドされている。キャリッジ４００には、ベルト４０４が連結され、ベルト４０４は、プーリ４０５と４０６との間に架け渡されている。キャリッジモータ４０３によって駆動されるプーリ４０５の回転方向に応じて、ベルト４０４を介して、キャリッジ４００が主走査方向に往復移動する。キャリッジ４００に、プリントヘッド４０１が搭載されている。
【００５４】
プリントヘッド４０１は、インクを吐出可能なインクジェットプリントヘッドである。プリントヘッド４０１は、キャリッジ４００に、３つのプリントヘッドを搭載することによって、カラー画像を記録することができる。上記３つのプリントヘッドは、ブラックインク吐出用のプリントヘッド４０１Ｂと、シアンインク吐出用のプリントヘッド４０１Ｃと、マゼンタインク吐出用のプリントヘッド４０１Ｍと、イエローインク吐出用のプリントヘッド４０１Ｙとである。
【００５５】
プリントヘッド４０１は、インクを吐出するために利用されるエネルギとして、電気熱変換体から発生する熱エネルギを利用するものであってもよい。この場合、電気熱変換体の発熱によって、インクに膜沸騰を生じさせ、そのときの発泡エネルギによって、インク吐出口からインクを吐出する。
【００５６】
印字メディアとしての用紙Ｐは、主走査方向と交差する矢印ｅの副走査方向に、間欠的に搬送される。すなわち、用紙Ｐは、上流側の一対のローラユニット４０７と４０８との間と、下流側の一対のローラユニット４０９と４１０との間とに支持されつつ、副走査方向に搬送される。ローラユニット４０７、４０８と、４０９、４１０とは、駆動部４１１によって駆動される。
【００５７】
インクジェット記録装置２０は、キャリッジ４００と共にプリントヘッド４０１を、主走査方向に移動させつつ、用紙Ｐに向かってインクを吐出させる記録動作と、用紙Ｐを所定量だけ副走査方向に搬送する搬送動作とを、繰り返す。上記記録動作と上記搬送動作とを繰り返すことによって、用紙Ｐ上に順次、画像を記録する。
【００５８】
キャリッジ４００は、印刷開始時または印刷中に、必要に応じてホームポジションに移動する。このホームポジションに、プリントヘッド４０１におけるインク吐出口の形成面をキャップするキャップ部材４１２が備えられている。キャップ部材４１２には、その内部に負圧をかけることが可能な吸引ポンプ等が接続されている。プリントヘッド４０１のインク吐出口を覆ったキャップ部材４１２内に、負圧をかけることによって、インク吐出口からインクを吸引排出させ、プリントヘッド４０１の良好なインク吐出状態を維持すべく回復処理を行う。
【００５９】
また、キャップ部材４１２内に向かって、インク吐出口から画像の記録に寄与しないインクを吐出させることによって、プリントヘッド４０１の良好なインク吐出状態を維持すべく回復処理を行うことができる。
【００６０】
インクジェット記録装置２０は、ノンインパクト型のプリント方式による印字装置の１つであり、高密度かつ高速なプリント動作を低騒音に行うことができ、優れた点を有している。しかし、近年は、印刷動作の一層の高速化の要求が高く、図示のプリントヘッドは、そのような要求に十分に応じることができるものである。しかし、上記図示のプリントヘッドは、主走査（キャリッジ走査）と副走査（用紙搬送、用紙給紙）との高速化を伴うものであり、その分、インクジェット記録装置２０としての稼動音が大きくなる。
【００６１】
そこで、インクジェット記録装置２０は、サイレントモードで動作することができるように構成されている。たとえばＣＰＵ１０１の制御の下、各部モータの駆動信号を適切に設定する。これによって、キャリッジの走査速度、プリント媒体（用紙）の給紙速度や搬送速度を通常よりも低くし、稼動音を低減することができる。
【００６２】
上記構成において、ホストコンピュータ１０に、インクジェット記録装置２０を接続する。そして、その最初の段階で、インクジェット記録装置２０に対応する通信プログラムや印刷データを生成するためのプリンタドライバをインストールし、外部記憶装置１０７内に格納することが、現在は一般的である。
【００６３】
図４は、実施例１に設けられているプリンタドライバにおけるユーティリティ画面の表示例を示す図である。
【００６４】
ユーティリティ画面５０は、プリンタドライバのプロパティ画面で複数存在するプロパティシートのうち、ユーティリティシートが選択されている状態を表示している画面である。
【００６５】
画面５０には、テストプリントしている間におけるインクジェットヘッドの吐出状態をチェックする処理や、プリントヘッドのクリーニング処理または吐出回復処理を起動するためのボタンを含め、複数のボタンが配置されている。実施例１で使用するサイレントモードであるサイレント設定を行うボタン５１も、画面５０に配置されている。ボタン５１を、マウス等でクリックすることによって、サイレント設定の給紙口設定を行うダイアログボックスが開く。
【００６６】
図５は、実施例１において、サイレント給紙口を設定するサイレント給紙口設定ダイアログボックス６０の表示例である。
【００６７】
なお、サイレント給紙口設定ダイアログボックス６０は、ホストコンピュータ１０において表示されるものである。
【００６８】
インクジェット記録装置２０には、給紙口Ａと給紙口Ｂとの２つの給紙口が装備されている。また、「給紙口Ａの設定」用プッシュボタン６２、「給紙口Ｂの設定」用プッシュボタン６３、「２つの給紙口に共通設定」用プッシュボタン６１の３種類の選択ボタンが存在している。給紙口を設定する場合、これらのボタン６１、６２、６３をマウス等でクリックすることによって、サイレント設定を行うためのダイアログボックスが開く。
【００６９】
ここで、「２つの給紙口に共通設定」と、「給紙口Ａの設定」、「給紙口Ｂの設定」とは、排他的な関係にある。よって、「２つの給紙口に共通設定」用プッシュボタン６１が押され（初期状態においても）、次に、このダイアログボックスを開いた場合、「給紙口Ａの設定」用プッシュボタン６２、「給紙口Ｂの設定」用プッシュボタン６３が淡色表示になる。そして、「給紙口Ａの設定」用プッシュボタン６２、または「給紙口Ｂの設定」用プッシュボタン６３が押されると、「２つの給紙口に共通設定」用プッシュボタン６１が淡色表示になる。そして、現在の状態が共通設定であるのか、個別設定であるのかを認識することができる。
【００７０】
図６は、実施例１において、サイレント給紙口設定ダイアログボックス６０におけるサイレント設定（共通）ダイアログボックス６００、サイレント設定（給紙口Ａ）ダイアログボックスの表示例を示す図である。
【００７１】
サイレント給紙口設定ダイアログボックス６０は、「給紙口Ａの設定」用プッシュボタン６２、「給紙口Ｂの設定」用プッシュボタン６３、「２つの給紙口に共通設定」用プッシュボタン６１のうちのどれが選択されても、共通のダイアログである。したがって、識別子としてダイアログボックス名に選択された給紙口設定を示している。
【００７２】
図６（１）は、図５において「２つの給紙口に共通設定」用プッシュボタン６１が押された場合を示す図であり、図６（２）は、図５において「給紙口Ａの設定」用プッシュボタン６２が押された場合を示す図である。
【００７３】
図６に示すサイレント設定には、「サイレント機能を使用しない」、「常にサイレント機能を使用する」、「指定した時間内でサイレント機能を使用する」の３種類の選択肢が存在する。そして、それぞれの機能に対して、ラジオボタン６０１〜６０３が割り当てられ、これら３つのラジオボタンのうちで、いずれか１つのボタンが選択されるように、排他制御を行う。ラジオボタン６０４と６０５とは、時刻設定用のコントロールボックスであり、初期状態（ラジオボタン６０１が選択された状態）では、図６（１）に示すように、淡色表示されている。一方、ラジオボタン６０３を選択し「指定時間内でサイレント機能を使用する」の機能を行う際に、図６（２）に示すように、通常表示され、ボックス６０４と６０５とに対して、それぞれ開始時刻、終了時刻の入力操作が可能である。
【００７４】
各ボックスは、数値を直接入力するための「時間」領域６０９と、「分」領域６１０とが設けられ、また、これらのいずれかを選択した状態で、右側に配置されているスピンボックス６１１、６１２によって選択されている領域の数値の増減を行うことができる。
【００７５】
「送信」ボタン６０６は、設定をインクジェット記録装置２０に送信するためのボタンである。「キャンセル」ボタン６０７は、現在の設定状況を破棄し、ダイアログボックスを閉じるためのボタンである。「標準に戻す」ボタン６０８は、各設定値をデフォルト値に戻すためのボタンである。
【００７６】
次に、実施例１において、アプリケーションプログラムから印刷指令を受信した際に、プリンタドライバからサイレント設定コマンドをプリンタに送信する処理について、説明する。
【００７７】
図７は、実施例１において、システムで印刷を行う際に、ホストコンピュータ１０が、サイレント設定コマンドをインクジェット記録装置２０に送信する処理手順の一例を示すフローチャートである。
【００７８】
この処理は、通常の制御コマンド送信処理の直前に実施する処理である。
【００７９】
Ｓ１で、ホストコンピュータ１０において、通常の印刷データを送信する前に挿入するサイレント設定コマンドの送信処理を開始し、Ｓ２に遷移する。Ｓ２で、作業用のメモリ確保等の初期化処理を行い、Ｓ３に遷移する。Ｓ３で、サイレント給紙口設定ダイアログ６０によって、共通設定が選択されているか、個別設定が選択されているかを判断し、共通設定が選択されていれば、Ｓ４に遷移し、個別設定が選択されていれば、Ｓ５に遷移する。Ｓ４で、共通のサイレント設定ダイアログボックスで設定されたサイレント設定状態を、ホストコンピュータ１０がインクジェット記録装置２０に送信し、終了する。
【００８０】
Ｓ５で、印刷データの給紙口Ａ、Ｂのうちで、どちらに指定されているかを識別し、印刷データの指定する給紙口が、給紙口Ａであれば、Ｓ６に遷移し、印刷データの指定する給紙口が、給紙口Ｂであれば、Ｓ７に遷移する。Ｓ６で、給紙口Ａのサイレント設定ダイアログボックスで設定されたサイレント設定状態を、ホストコンピュータ１０が、インクジェット記録装置２０に送信し、終了する。Ｓ７で、給紙口Ｂのサイレント設定ダイアログボックスで設定されたサイレント設定状態を、ホストコンピュータ１０が、インクジェット記録装置２０に送信し、終了する。
【図面の簡単な説明】
【００８１】
【図１】本発明の実施例１であるホストコンピュータ１０とインクジェット記録装置２０とを示すブロック図である。
【図２】インクジェット記録装置２０を示す簡易模式図である。
【図３】インクジェット記録装置２０の機械的構成の一例を示す図であり、シリアルスキャン方式のインクジェット記録装置を示す図である。
【図４】実施例１に設けられているプリンタドライバにおけるユーティリティ画面の表示例を示す図である。
【図５】実施例１において、サイレント給紙口を設定するサイレント給紙口設定ダイアログボックス６０の表示例である。
【図６】実施例１において、サイレント給紙口設定ダイアログボックス６０におけるサイレント設定（共通）ダイアログボックス６００、サイレント設定（給紙口Ａ）ダイアログボックスの表示例を示す図である。
【図７】実施例１において、システムで印刷を行う際に、ホストコンピュータ１０が、サイレント設定コマンドをインクジェット記録装置２０に送信する処理手順の一例を示すフローチャートである。
【図８】従来例におけるサイレント設定のウインド例を示す図である。
【符号の説明】
【００８２】
１０…ホストコンピュータ、
２０…インクジェット記録装置、
Ａ、Ｂ…給紙口、
Ｃ…排紙口、
ａ、ｂ、ｃ…搬送方向、
５０…ユーティリティ画面、
６０…サイレント給紙口設定ダイアログボックス。
【図１】
2007076195.tif 000003
【図２】
2007076195.tif 000004
【図３】
2007076195.tif 000005
【図４】
2007076195.tif 000006
【図５】
2007076195.tif 000007
【図６】
2007076195.tif 000008
【図７】
2007076195.tif 000009
【図８】
2007076195.tif 000010